(57)【要約】【課題】カメラ本体を横長にして撮影しても、縦長にして撮影しても設定メニユーなどの表示文字が読み易いディジタルカメラを提供する。【解決手段】操作部３に、カメラ本体１の姿勢が横長、縦長で右側端辺１ｂが上位位置、縦長で左側端辺１ｃが上位位置であることをそれぞれ示す表示器６，７，８と、この表示器６，７，８のいずれかを切替選択するマルチスイッチ４とを備え、撮影時に表示部２に表示される設定メニュー表示文字の表示方向を前記選択表示器の切替選択に応じて変更する。【選択図】  図１
0003130129.tif 000002
【実用新案登録請求の範囲】
【請求項１】
説明用の文字情報が画面に表示されるディジタルカメラにおいて
前記表示画面に対して前記文字情報の表示方向を切替設定する手段を備え、前記文字情報を前記切替設定手段の設定に応じた方向に表示することを特徴とするディジタルカメラ。
【請求項２】
前記切替設定手段は、ダイヤル式の切替スイッチであり、複数の表示方向の1つを選択設定するものであることを特徴とする請求項1記載のディジタルカメラ。
【請求項３】
前記切替設定手段は、それぞれが表示方向の1つを指定する複数の操作スイッチからなり、いずれか1つの操作スイッチを操作することにより表示方向の１つを設定することを特徴とする請求項１記載のディジタルカメラ。
【請求項４】
ディジタルカメラ本体の姿勢を検出する姿勢センサを備え、前記切替設定手段により自動モードを選択設定可能に構成し、この切替設定手段により自動モードが選択されると、前記姿勢センサで検出した姿勢に応じた方向に前記文字情報を表示するようにしたことを特徴とする請求項１、請求項２、又は請求項３記載のディジタルカメラ。
【考案の詳細な説明】
【技術分野】
【０００１】
この考案は、ディジタルカメラ、特に表示部を有し、この表示部に種々の設定を行うための文字情報を表示し得るディジタルカメラに関する。
【背景技術】
【０００２】
近年のディジタルカメラでは、その撮影雰囲気に応じた、撮影者希望の撮影画像を撮影するために、撮影時に、各種の撮影機能事項を選択設定し得るようになっている。これは、例えば表示部に、「画像モード」、「ホワイトバランス」、「測光方式」、・・・などの撮影メニー（文字情報）を表示し、備えられているマルチセレクタ、カーソル等によってメニューの１つを選択すれば、例えば「画像モード」を選択すると、さらに細かいメニー、例えば、「画像仕上」、「記録サイズ」、「シャープネス」、「コントラスト」などが表示され、それぞれを順次選択しながら、それぞれの特性（機能条件値）が設定できるようにしている。この種の各種の撮影機能事項を表示し、選択設定し得るようにしたディジタルカメラもいくらか開示されている（例えば特許文献１参照）。
【特許文献１】特開２００４−０２３４１５号公報
【考案の開示】
【考案が解決しようとする課題】
【０００３】
一般に、ディジタルカメラは、背面視して形状が長方形状であり、撮影する時は横長方向の姿勢で行うのが通常であり、状況により、好みに応じてカメラを縦長にして、被写体に向けて撮影を行うこともある。
【０００４】
上記した撮影時の画像モードの表示、設定内容の表示文字は、カメラを通常横長方向の姿勢にして使用することが多いところから、カメラを横長の姿勢にした状態で読めるように配列している。例えば図７に示すようにディジタルカメラ１の横長姿勢に対し、表示部２のメニュー表示文字２ａは水平（平行）の向きに表示している。従来のディジタルカメラでは、このメニュー表示文字２ａを表示部２で方向を固定して表示するものであるから、図８に示すように、たまたまカメラ本体１を縦長にしてファインダーを覗き撮影しようとして各種設定を行おうとすると、設定用の表示文字２ａが縦方向になるので、撮影者は顔を横に向けて表示文字を読むか、縦から横にカメラの姿勢を戻し、表示文字を読み設定処理を行い、再度縦長に戻して撮影を行わねばならず、縦長状態での撮影には、メニュー文字表示が読み辛く、設定操作が非常に不便であるという問題があった。
【０００５】
この考案は、上記問題点に着目してなされたものあって、カメラ本体を横長にして撮影しても、縦長にして撮影しても設定メニューなどの表示文字が読み易いディジタルカメラを提供することを目的とする。
【課題を解決するための手段】
【０００６】
この考案のディジタルカメラは、説明用の文字情報が画面に表示されるディジタルカメラにおいて、前記表示画面に対して前記文字情報の表示方向を切替設定する手段を備え、前記文字情報を前記切替設定手段の設定に応じた方向に表示することを特徴とする。
【０００７】
この考案のディジタルカメラにおいて、前記切替設定手段は、例えばダイヤル式の切替スイッチであり、複数の表示方向の1つを選択設定するものであってもよい。
【０００８】
また、この考案のディジタルカメラにおいて、前記切替設定手段は、それぞれが表示方向の1つを指定する複数の操作スイッチからなり、いずれか1つの操作スイッチを操作することにより表示方向の１つを設定するものであってもよい。
【０００９】
また、この考案のディジタルカメラにおいて、さらに、ディジタルカメラ本体の姿勢を検出する姿勢センサを備え、前記切替設定手段により自動モードを選択設定可能に構成し、この切替設定手段により自動モードが選択されると、前記姿勢センサで検出した姿勢に応じた方向に前記文字情報を表示するようにしてもよい。
【考案の効果】
【００１０】
この考案によれば、表示画面に対して文字情報を切替設定する手段を備え、文字情報を切替設定手段の設定に応じた方向に表示するものであるから、横長にしたカメラ本体で横方向に表示されている文字情報を、カメラ本体を縦長にして撮影するために、切替設定手段の縦長への設定により、文字情報をカメラ本体を縦長にした状態で表示画面に横方向に表示することが出来、ディジタルカメラの横長状態での撮影、あるいは縦長状態での撮影のいずれの場合も、容易に文字情報を読み取ることが出来る。
【００１１】
また、さらにディジタルカメラ本体の姿勢を検出する姿勢センサを備え、前記切替設定手段により自動モードを選択設定可能に構成し、この切替設定手段により自動モードが選択されると、前記姿勢センサで検出した姿勢に応じた方向に前記文字情報を表示するようにすることにより、自動モードにしておけばディジタルカメラの横長状態での撮影、あるいは縦長状態での撮影の何れの場合でも姿勢センサにより検出した姿勢に応じて文字情報の表示方向を変更するので、特別の操作を行わずとも常に容易に文字情報を読み取ることが出来る。
【考案を実施するための最良の形態】
【００１２】
以下、実施の形態によりこの考案を、さらに詳細に説明する。
＜実施形態１＞
先ず、図１〜図4を参照して実施形態１のディジタルカメラについて説明する。この実施形態のディジタルカメラは、カメラ本体１が背面視して横長の長方形状であり、左側に設定メニュー用の文字などを表示する表示部（画面）２を備え、右側に操作部３を設けている。操作部３は、マルチスイッチ４のダイヤル５と、ダイヤル５の回転によって順次選択点灯する表示器６，７，８，９を備えている。
【００１３】
表示器６は、点灯によって、カメラ本体１が横長姿勢であって、カメラ本体1の上端辺１ａが、上方位置となる状態で撮影する場合を、選択設定する。表示器７は、点灯によって、カメラ本体１が縦長姿勢であってカメラ本体1の側端辺１ｂが、上方位置となる状態で撮影する場合を、選択設定する。表示器８は、点灯によって、カメラ本体１が縦長姿勢であってカメラ本体1の側端辺１ｃが、上方位置となる状態で撮影する場合を、選択設定する。表示器９は、点灯によって、カメラ本体１が横長姿勢、縦長姿勢にあることにこだわらず自動モードで撮影する場合を選択設定する。
【００１４】
このような操作部３を設けたことが、この実施形態ディジタルカメラの１つの特徴である。もちろん操作部３は、これらの手段、機能以外にディジタルカメラにおいてよく知られた一般的な手段、機能も有するが、ここでは説明を省略する。又、この実施形態では、カメラ本体１内にカメラ本体１の姿勢、つまり水平面に対し横長方向にあるか縦長方向にあるかを検出する姿勢センサを備えている。
【００１５】
この実施形態１のディジタルカメラにおいて、図１に示したように、カメラ本体１を横長の姿勢で撮影行う場合には、マルチスイッチ４のダイヤル５を回転して表示器６を点灯させる。このようにマルチスイッチ４を切替設定することにより、カメラ本体１の上端辺１ａを上方とする横長姿勢が設定され、表示部２における例えば設定メニューの表示、「画像仕上」、「記録サイズ」、「画像彩度」、「シャープネス」、「コントラスト」は、カメラ本体１の横長方向に平行の向きに表示される。したがって、撮影者は、ファインダーを覗く顔と同じ向きで文字情報を容易に読むことが出来る。
【００１６】
次に、カメラ本体１を縦長で撮影を行う場合、例えばカメラ本体１の側端辺１ｂが上方となるような姿勢とする、図２に示したように、マルチスイッチ４のダイヤル５を回転して表示器７を点灯させる。このようにマルチスイッチ４を切替設定することによりカメラ本体１の側端辺１ｂを上方とする縦長姿勢が設定される。この設定により表示部２における例えば設定メニュー表示は,図１の表示から９０度回転され、この設定下で図２に示す姿勢とすると設定メニュー表示、「画像仕上」、「記録サイズ」、・・・は、カメラ本体１の側端辺１ｂに平行の向きに、しかも側端辺１ｂ側が上方となるように表示される。したがって、撮影者は、ファインダーを覗く顔と同じ向きで文字情報を容易に読むことができる。そのため、縦長姿勢でも、容易に設定操作を行うことができる。
【００１７】
この実施形態ディジタルカメラにおいて、図３に示すように、マルチスイッチ４のダイヤル５を回転し、表示器９を点灯させる。この設定切替により、自動モードが設定される。この自動モードが設定された場合には、撮影時に設定メニューなどの文字表示を行う場合、内蔵している姿勢センサにより、カメラ本体１の姿勢、例えば横長、あるいは縦長の別を検出する。そして横長検出の場合には、その検出出力に応答して設定メニューなどの文字情報は、図３に示すように、カメラ本体１の横長方向に平行に表示される。カメラ本体１の姿勢が縦長の場合には、設定メニューなどの文字情報は,姿勢センサによる縦長検出に応答して、図４に示すように、図３に示す場合の表示方向に対して９０度回転させて、カメラ本体１の側端辺１ｂ、１ｃに平行に表示される。
【００１８】
このように、この実施形態の自動モードでは、カメラ本体１の姿勢を横長、縦長とした場合、それぞれ姿勢センサで姿勢を検出し、その姿勢に応じた方向の向きで文字情報を表示するので撮影者は、カメラ本体１の横長、縦長等の姿勢を気にすることなく撮影しながら設定メニューなどの文字情報を容易に読み取ることができる。
＜実施形態２＞
図５、図６に実施形態２のディジタルカメラを示す。図５はこの実施形態ディジタルカメラを横長の姿勢で撮影を行う場合を示している。又、図６は、この実施形態カメラを縦長の姿勢で撮影する場合を示している。この実施形態２のディジタルカメラの特徴は、操作部３の表示方向切替スイッチにある。実施形態１では、マルチスイッチ４で表示方向の切替設定を行っているが,この実施形態２では、１個のワンタッチボタン１１により文字情報の表示方向の向きを切替える。
【００１９】
この実施形態では、図５に示すように横長姿勢のカメラ本体１の右上方隅にワンタッチボタンスイッチ１１を設けると共に、その近傍に矢印が上端辺１ａに向いた表示器１２と、矢印が右側端辺１ｂに向いた表示器１３とを配置している。ワンタッチボタン１１を操作する毎に表示器１２と表示器１３の点灯が交互に移動する。図５のようにカメラ本体１を横長にして撮影する場合は、ワンタッチボタン１１の操作により、表示器１２を点灯させる。このように表示器１２の点灯時に表示部２の設定メニューはカメラ本体１の上端辺１ａに平行な方向に表示される。
【００２０】
次に図６のようにカメラ本体１を縦長にして撮影する場合は、ワンタッチボタン１１の操作により表示器１３を点灯させる。このように表示器１３を点灯させる時に、表示部２の設定メニユーは図５に示す表示方向から９０度回転した向きとなるように、つまり、カメラ本体１の側端辺１ｂと平行となる方向に表示される。
【００２１】
この実施形態においても、撮影時はカメラ本体１を横長の姿勢、縦長の姿勢でそれぞれ撮影する場合、予めワンタッチボタン１１の操作により切替設定しておくことにより、ファインダーを見ている状態で顔の向きを変えることなく、設定メニューなどの文字情報を容易に読み取ることが出来る。
＜その他の実施形態＞
その他の実施形態として、図５、図６のワンタッチボタン１１を、単なる「上」の文字を記載したものとし、表示器１２、１３を照光式の押しボタンスイッチに代え、これら押しボタンスイッチ１２，１３を選択操作することにより、設定メニューなどの文字情報の表示方向を切替えるようにしてもよい。
【００２２】
また、図１〜図４に示したマルチスイッチ４の使用に代えて、表示器６〜９に対応するワンタッチボタンをそれぞれ設け、これらを操作することにより、文字情報の表示方向を切替えるようにしてもよい。又、この場合表示器６〜９を単なる文字の印字に代えても良い。
【００２３】
また、図１〜図４に示した表示器６〜９を省略し、マルチスイッチ４のダイヤル５自身に選択している１方向を指示する指示器をつけ、選択している方向が判別できるようにしても良い。
【００２４】
また、図１〜図４に示したマルチスイッチ４のダイヤル５を独立させ、操作できるようにしても良い。
【００２５】
なお、上記各実施形態において、表示部２の横縦の長さ比率が相違する場合は、横長と縦長の姿勢変更に応じてメニュー文字の表示方向を変更する場合、全体画像の横縦の比を、表示部の横縦比に合わして変更することや、表示されている文字の大きさ、行数、桁数を調整してもよいことは言うまでもない。
【図面の簡単な説明】
【００２６】
【図１】この考案の実施形態１のディジタルカメラの横長姿勢での設定メニュー表示を示す背面図である。
【図２】同実施形態１のディジタルカメラの縦長姿勢での設定メニュー表示を示す背面図である。
【図３】同実施形態１のディジタルカメラの自動モード設定時の横長姿勢での設定メニュー表示を示す背面図である。
【図４】同実施形態１のディジタルカメラの自動モード設定時の縦長姿勢での設定メニュー表示を示す背面図である。
【図５】この考案の実施形態２のディジタルカメラの横長姿勢での設定メニュー表示を示す背面図である。
【図６】同実施形態１のディジタルカメラの縦長姿勢での設定メニュー表示を示す背面図である。
【図７】従来のディジタルカメラの横長姿勢での設定メニュー表示を示す背面図である。
【図８】従来のディジタルカメラの縦長姿勢での設定メニュー表示を示す背面図である。
【符号の説明】
【００２７】
１                              カメラ本体
１ａ                            カメラ本体の上端辺
１ｂ                            カメラ本体の背面右側端辺
１ｃ                            カメラ本体の背面左側端辺                        
２                              表示部
３                              操作部
４                              マルチスイッチ
５                              ダイヤル
６〜９                          表示器  
【図１】
0003130129.tif 000003
【図２】
0003130129.tif 000004
【図３】
0003130129.tif 000005
【図４】
0003130129.tif 000006
【図５】
0003130129.tif 000007
【図６】
0003130129.tif 000008
【図７】
0003130129.tif 000009
【図８】
0003130129.tif 000010